(57)【要約】エレベータかご室の内部に取り付けられた屈折シートを有するエレベータかご室照明アセンブリ。光源が、屈折シートの外縁部に取り付けられて、その内部に光を導く。その外縁部で受け取られた光は、屈折シートに沿って進み、シートの、かご室の内部に露出した平坦面および内縁部から出る。拡散光を与えるために、屈折シートを不規則にサンダー仕上げまたはサンドブラスト処理してもよい。アクセント強調照明を行うために、シートを標準または特注構造にエッチングまたはルーティング処理してもよい。照明アセンブリは、かご室の外部からアクセスすることができるトランサムアセンブリ内に収容される。
2006514908.tif 000002
【特許請求の範囲】
【請求項１】
対向する平坦面、内縁部および外縁部を有する、エレベータかご室に取り付けられるための屈折シートであって、かご室の内部に露出した部分を有する屈折シートと、
該シートの前記外縁部に取り付けられて、その内部に光を導く光源と、
を備えるエレベータかご室照明アセンブリであって、
光は、前記外縁部から前記エレベータかご室の前記内部に露出した部分を通って伝えられる、エレベータかご室照明アセンブリ。
【請求項２】
前記シートは、アクリル樹脂からなる、請求項１に記載のエレベータかご室照明アセンブリ。
【請求項３】
前記シートは、厚さが約０．２５０インチである、請求項２に記載のエレベータかご室照明アセンブリ。
【請求項４】
前記かご室の前記内部に露出した前記部分は、前記内縁部を有する、請求項１に記載のエレベータかご室照明アセンブリ。
【請求項５】
前記かご室の前記内部に露出した前記部分は、前記平坦面の一方に沿って延在する領域をさらに有する、請求項４に記載のエレベータかご室照明アセンブリ。
【請求項６】
前記平坦面の一方は、不規則にサンダー仕上げまたはサンドブラスト処理されている、請求項５に記載のエレベータかご室照明アセンブリ。
【請求項７】
前記平坦面の一方は、エッチングまたはルーティング（routing）処理されている、請求項５に記載のエレベータかご室照明アセンブリ。
【請求項８】
前記平坦面の一方に鏡面反射層をさらに有する、請求項５に記載のエレベータかご室照明アセンブリ。
【請求項９】
前記平坦面の一方に塗装層をさらに有する、請求項５に記載のエレベータかご室照明アセンブリ。
【請求項１０】
前記内縁部に鏡面反射層をさらに有する、請求項５に記載のエレベータかご室照明アセンブリ。
【請求項１１】
前記シートは、前記かご室の天井面に取り付けられる、請求項１に記載のエレベータかご室照明アセンブリ。
【請求項１２】
前記シートは、前記かご室の壁面に取り付けられる、請求項１に記載のエレベータかご室照明アセンブリ。
【請求項１３】
前記外縁部および前記光源を収容するためのトランサム（まぐさ）アセンブリをさらに備える、請求項１に記載のエレベータかご室照明アセンブリ。
【請求項１４】
前記トランサムアセンブリは、前記外縁部内への光の伝達を促進するためのガイドをさらに有する、請求項１３に記載のエレベータかご室照明アセンブリ。
【請求項１５】
前記トランサムアセンブリは、前記かご室の前記外部に取り付けられる、請求項１３に記載のエレベータかご室照明アセンブリ。
【請求項１６】
前記トランサムアセンブリは、前記かご室の前記内部に取り付けられる、請求項１３に記載のエレベータかご室照明アセンブリ。
【請求項１７】
前記トランサムアセンブリは、前記かご室の前記内部に露出して前記光源からの光を前記かご室内へ拡散させるための穿孔面板をさらに有する、請求項１３に記載のエレベータかご室照明アセンブリ。
【請求項１８】
前記トランサムは、前記光源および前記面板間に取り付けられたレンズをさらに有する、請求項１７に記載のエレベータかご室照明アセンブリ。
【請求項１９】
前記内縁部は、前記面板にそろえて並べられる、請求項１８に記載のエレベータかご室照明アセンブリ。
【請求項２０】
前記シートは、矩形である、請求項１に記載のエレベータかご室照明アセンブリ。
【請求項２１】
前記シートは、半円形である、請求項１に記載のエレベータかご室照明アセンブリ。
【請求項２２】
内部および外部を有するエレベータかご室と、
対向する平坦面、内縁部および外縁部を有する、かご室に取り付けられるための屈折シートであって、エレベータかご室の内部に露出した部分を有する屈折シートと、
該シートの前記外縁部に取り付けられて、その内部に光を導く光源と、
を備えるエレベータかご室および屈折シート照明アセンブリであって、
光は、前記外縁部から前記エレベータかご室の前記内部に露出した前記部分を通って伝えられる、エレベータかご室および屈折シート照明アセンブリ。
【請求項２３】
前記シートは、アクリル樹脂からなる、請求項２２に記載のエレベータかご室。
【請求項２４】
前記シートは、厚さが約０．２５０インチである、請求項２３に記載のエレベータかご室。
【請求項２５】
該かご室の前記内部に露出した前記部分は、前記内縁部を有する、請求項２２に記載のエレベータかご室。
【請求項２６】
該かご室の前記内部に露出した前記部分は、前記平坦面の一方に沿って延在する領域をさらに有する、請求項２５に記載のエレベータかご室。
【請求項２７】
前記平坦面の一方は、不規則にサンダー仕上げまたはサンドブラスト処理されている、請求項２６に記載のエレベータかご室。
【請求項２８】
前記平坦面の一方は、エッチングまたはルーティング処理されている、請求項２６に記載のエレベータかご室。
【請求項２９】
前記平坦面の一方に鏡面反射層をさらに有する、請求項２６に記載のエレベータかご室。
【請求項３０】
前記平坦面の一方に塗装層をさらに有する、請求項２６に記載のエレベータかご室。
【請求項３１】
前記内縁部に鏡面反射層をさらに有する、請求項２６に記載のエレベータかご室。
【請求項３２】
前記シートは、該かご室の天井面に取り付けられるようになっている、請求項２２に記載のエレベータかご室。
【請求項３３】
前記シートは、該かご室の壁面に取り付けられるようになっている、請求項２２に記載のエレベータかご室。
【請求項３４】
前記外縁部および前記光源を収容するためのトランサムアセンブリをさらに備える、請求項２２に記載のエレベータかご室。
【請求項３５】
前記トランサムアセンブリは、前記外縁部内への光の伝達を促進するためのガイドをさらに有する、請求項３４に記載のエレベータかご室。
【請求項３６】
前記トランサムアセンブリは、該かご室の前記外部に取り付けられるようになっている、請求項３４に記載のエレベータかご室。
【請求項３７】
前記トランサムアセンブリは、該かご室の前記内部に取り付けられるようになっている、請求項３４に記載のエレベータかご室。
【請求項３８】
前記トランサムアセンブリは、該かご室の前記内部に露出して前記光源からの光を該かご室内へ拡散させるための穿孔面板をさらに有する、請求項３４に記載のエレベータかご室。
【請求項３９】
前記トランサムは、前記光源および前記面板間に取り付けられたレンズをさらに有する、請求項３８に記載のエレベータかご室。
【請求項４０】
前記内縁部は、前記面板にそろえて並べられる、請求項３９に記載のエレベータかご室。
【請求項４１】
前記シートは、矩形である、請求項２２に記載のエレベータかご室。
【請求項４２】
前記シートは、半円形である、請求項２２に記載のエレベータかご室。
【発明の詳細な説明】
【技術分野】
【０００１】
［発明の分野］
本発明は、包括的にはエレベータの分野に、特にエレベータかご室用の照明の分野に関する。
【０００２】
［背景］
エレベータかご室用に従来より使用可能な照明アセンブリは、頭上または天井取り付け型照明器具を使用する。従来の照明アセンブリに伴う欠点が幾つかある。
【０００３】
従来の照明アセンブリは通常、照明器具と、光をかご室全体に均一に散乱させるために使用される拡散器とを収容するために、４〜１０インチの余分なかご室高さを必要とする。アセンブリは、アセンブリの重量を担持するために、かご室の天井内に追加的な構造部材を必要とする。追加的な構造部材は、エレベータかごの全体寸法および重量を追加し、このことは、特に既存エレベータの近代化において非常に望ましくないであろう。エレベータの近代化を管理する行政規則は、近代化に使用される（かご室を含めた）交換エレベータ部品の重量に非常に厳しい規制を提起することが多い。
【０００４】
従来の照明アセンブリにはかご室内の乗客が容易に接近することができ、破壊行為や不注意による損壊を受けやすい。破損した場合、照明器具のガラスの破片や他の部品がエレベータかご室の内部に落下して、乗客を傷つけるであろう。従来の照明アセンブリの破損部品の交換および修理には費用と時間が掛かる場合が多い。
【０００５】
［発明の概要］
本発明は、エレベータかご室の内部に拡散してまぶしくない光を与えるために屈折シートを使用する新規なエレベータかご室照明アセンブリを提供することにより、エレベータ用の従来型照明アセンブリに伴う問題を解決する。本発明はまた、そのような照明アセンブリを設けたエレベータかご室も備える。
【０００６】
本発明の照明アセンブリは、対向する平坦面、内縁部および外縁部を有する屈折シートを備える。このシートは、かご室に取り付けられており、エレベータかご室の内部に露出した部分を有する。光源が、シートの外縁部に取り付けられて、その内部に光を導く。外縁部から出た光は、シートの長手方向（longitude）に沿って不規則に内部で屈折して、エレベータかご室の内部に露出した部分を通って進む。
【０００７】
屈折シートは、エレベータかご室の内部に拡散したまぶしくない光を与える任意の適当な材料から形成することができる。１つの実施形態では、屈折シートは、アクリル樹脂を有する。しかし、任意の透明か、または半透明材料を使用してもよい。たとえば、シートは、他のプラスチックまたはガラスを有してもよい。屈折シートの好適な厚さは約０．２５０インチであるが、エレベータの作動時にシートの構造保全性を維持すると共に、かご室内に所望量の光を放出するのであれば、シートの厚さまたは材料を変化させることができる。かご室の内部に露出したシート部分は、シートの内縁部を有することができ、あるいは、平坦面の一方に沿った領域をさらに有してもよい。シートは、矩形、半円形、スプライン、または任意の他の直線もしくは曲線形状などのさまざまな形状でよい。
【０００８】
平坦面の一方を不規則にサンダー仕上げまたはサンドブラスト処理してもよい。平坦面の一方をエッチングまたはルーティング処理してもよい。エッチングまたはルーティング処理は、アクセント強調照明（accent highlighting）を行うための標準または特注構造にしてもよい。シートはまた、平坦面の一方に鏡面反射層（または研磨金属フォイル）か、または塗装層を有してもよい。光を平坦面によって画定される部分内へ反射して戻し、それにより、エレベータかご室の内部に露出した部分を通過する光の強度を高めるために、内縁部に鏡面反射層をさらに設けてもよい。
【０００９】
シートは通常、かご室の天井面に取り付けられるであろうが、かご室内の他の表面、たとえば、壁または床面に取り付けてもよい。
【００１０】
１つの好適な実施形態では、照明アセンブリは、外縁部および光源を収容するためのトランサム（まぐさ）アセンブリをさらに（also）備える。トランサムアセンブリは、外縁部内への光の伝達を促進するためのガイドをさらに有する。トランサムアセンブリは、かご室の内部に、あるいは外部に取り付けることができる。かご室の外部に取り付けられるとき、トランサムアセンブリは実際に、かご室の上前方隅部分を画定して、かご室の空間か、または天井高さに入り込む。
【００１１】
トランサムアセンブリは好ましくは、かご室の内部に露出して光源からの光をかご室内へ拡散させるための穿孔面板を有する。面板の穿孔は、穴、格子、グリルバー、複数のスロット、または他の光透過機構の形にすることができる。面板は堅牢な構造であって、いたずらや他の形の損壊に対して強い。この場合、トランサムは、光源および面板間に取り付けられたレンズをさらに有する。加えて、内縁部は好ましくは、面板にそろえて並べられ、面板の上部の真上に配置される。
【００１２】
本発明は、省スペース照明アセンブリからエレベータかご室の効率的な照明を行う。本発明は、十分なかご室照明を求めるエレベータ規制に適合するように構成される。規制では、ドアを閉じた状態のエレベータの敷居で少なくとも５フート燭光の強度が必要とされる。
【発明を実施するための最良の形態】
【００１３】
添付図面を参照しながら、以下の実施形態を記載し、これらの図面は本発明を説明するためのものであって、範囲をこれらの実施形態に制限しようとする意図はない。
【００１４】
図１は包括的に、本発明の照明アセンブリ１１を備えるエレベータかご室１０であって、照明アセンブリ１１が、かご室１０の外部に取り付けられたトランサム１２内に配置され、それにより、かご室１０の外部から照明アセンブリ１１に接近しやすい、エレベータかご室１０を示す。
【００１５】
図２は、本発明の包括的概念の断面図である。照明アセンブリ１１は、かご室１０の天井１３に隣接した位置でそれに沿って、かご室壁２４および２５間に内縁部３７まで延在する光屈折シート２１を備え、内縁部３７は鏡面仕上げしてもよい。
【００１６】
屈折シート２１は、（鏡面仕上げしてもよい）内縁部３７と、上側および下側平坦面４６および５１と、外縁部３９とを有する。外縁部３９は、光源３０に隣接しており、反射ガイド４２に取り付けられるか、またはそれに隣接している。反射ガイド４２は、光源３０から出る光を外縁部３９内に向ける。光は次に、シート２１の本体内へ伝えられ、そこで全体に不規則に散乱する。上側平坦面４６は、（点５５で表された）サンドブラスト処理を不規則に施してもよい。シート本体内の光は次に、下側平坦面５１から出てかご室１０内へ進む。
【００１７】
光を反射してシート２１の外縁部３９内へ向けるために、反射ガイド４２は適当な内部鏡面仕上げまたはコーティングを有する。
【００１８】
図３Ａ、図３Ｂ、および図３Ｃは、本発明の照明アセンブリの１つの特定の実施形態の異なった図面を示し、この場合、トランサム１１２から延出する屈折シート１２１が半円形を成している。照明アセンブリ１１１は、光源１３０と、光を光源１３０から屈折シート１２１の外縁部１３９内へ向ける反射ガイド１４２とを有する。
【００１９】
トランサム１１２は、照明アセンブリ１１１を収容しており、屈折シート１２１からトランサム１１２の底部分１７５まで垂直に延在する穿孔面板１６３を備える。光源１３０から出るが、シート１２１の外縁部１３９内へ導かれない光は、レンズ１７９を通り、さらに穿孔面板１６３を通ってかご室内へ向けられる。照明アセンブリ１１１を支持しているトランサムトレイ１１２は、エレベータかご室のトランサムにぴったり合うように、エレベータかご室自体の幅までの任意の適当な幅寸法にすることができる。
【００２０】
図３Ａおよび図３Ｂは、トランサム１１２の底面図を示す。管状光源１３０、たとえば蛍光灯器具が、アセンブリ１１１の全幅に延在している。他の光源に白熱電球を含むことができ、あるいはいくつかの目的のため、非常電池式ＬＥＤ発光体（emergency battery powered LED light emitters）を含んでもよい。穿孔面板１６３は垂直である必要はなく、トレイ１１２の底部分１７５に対して別の角度をなすことができる。
【００２１】
次に図３Ｃを参照すると、光源１３０からの光は、トランサム１１２から２通りに出る。第１に、光源１３０からの光は、反射ガイド１４２によって屈折シート１２１の外縁部１３９内へ向けられる。その光は、シートに沿って側方に、かご室の内部に露出した部分内に進む。上側平坦面１４６は、光がその表面から出ないように処理されており、たとえば、上側面１４６に対して不規則なサンドブラスト処理、鏡面仕上げ、塗装、エッチング、ルーティング、または研磨金属フォイルでの被覆を行うことができる。したがって、光は下側平坦面１５１および内縁部１３７から出る。
【００２２】
本実施形態の照明アセンブリ１１１は、たとえば、図１に示されているように、エレベータかご室の前隅部内に固定してもよい。このように、トランサム１１２にはかご室の外部から接近しやすく、これによってメンテナンスが容易になるであろう。たとえば、エレベータ乗り場に位置する作業員が、かご室の上部が乗り場の高さになるようにかご室を上昇させ、それにより、作業員はアセンブリ１１１の光源１３０または他の部品をかご室の外部から容易に交換することができる。これにより、メンテナンスが容易になり、作業員がかご室に乗り込む必要がない。
【００２３】
図４Ａ、図４Ｂ、および図４Ｃは、図３Ａ〜図３Ｃに示されているものと同様であるが、シート２２１の内縁部２３７が面板２６３にそろえて並べられてその真上にある、本発明の追加の実施形態を示す。この構造は、シート２２１がかご室の内部に露出することを回避し、それにより、損壊を防止している。図４Ｃを参照すると、この構造は、１つの除外点を除いて、図３Ａ〜図３Ｃに示されたアセンブリと同様に機能する。図４Ａ〜図４Ｃにおいて、光源２３０から反射ガイド２４２によってシート２２１の外縁部２３９内へ導かれた光は、シート２２１の本体を通って進み、内縁部２３７から出て、それからかご室内で分散するであろう。その他の図示した実施形態と同様に、内縁部２３７から伝えられる光の強度を最大にするために、屈折シートの上側および下側平坦面を処理（塗装、鏡面仕上げ、サンドブラストまたはエッチング）してもよい。
【００２４】
特定の実施形態を参照しながら本発明を詳細に示して説明してきたが、当業者であれば、本発明の精神および範囲から逸脱することなく、形状および詳細にさまざまな変化を加えることができることは理解できるであろう。
【図面の簡単な説明】
【００２５】
【図１】本発明の照明アセンブリを収容する、外部から接近しやすいトランサムを設けたエレベータかご室の等角図である。
【図２】本発明の照明アセンブリの概念の断面を表す、エレベータかご室部分の側面図である。
【図３Ａ】トランサムアセンブリから延出した半円形屈折シートを有する、本発明に従った照明アセンブリの斜視図である。
【図３Ｂ】図３Ａに示された照明アセンブリの下側斜視図である。
【図３Ｃ】図３Ａに示された照明アセンブリの側面図である。
【図４Ａ】トランサムアセンブリの面板にそろえて並べられた内縁部まで延在する屈折シートを有する、本発明に従った照明アセンブリの斜視図である。
【図４Ｂ】図４Ａに示された照明アセンブリの下側斜視図である。
【図４Ｃ】図４Ａに示された照明アセンブリの側面図である。
【図１】
2006514908.tif 000003
【図２】
2006514908.tif 000004
2006514908.tif 000005
2006514908.tif 000006
2006514908.tif 000007
2006514908.tif 000008
【国際調査報告】
2006514908.tif 000009
2006514908.tif 000010
2006514908.tif 000011